(57)【要約】【課題】リード線や特別な加工等を要することなく、セイフティシューの後退を検知することのできるドア安全装置の提供。【解決手段】水平方向に移動するドア４の前縁に突出設置されたセイフティシュー６の後退を検知するための検知手段７が、セイフティシュー６の上部に配置され、ドア４の開閉方向に沿って水平方向に光束７ｃを投光する投光部７ａ、およびこの投光部７ａから投光された光束７ｃを受光する受光部７ｂから成り、かつ、セイフティシュー６を、障害物との接触により後退とともに上方に移動する構造とし、セイフティシュー６が障害物と接触することで後退とともに上方に移動し、その上端により光束７ｃを遮ることで制御手段がセイフティシュー６の後退を検知するようにしたものである。【選択図】図１
2010159116.tif 000002
【特許請求の範囲】
【請求項１】
開口部に配設されて水平方向に移動するドアの前縁に突出設置され、障害物との接触により後退するセイフティシューと、このセイフティシューの後退を検知するための検知手段と、前記ドアの開閉を制御する制御手段とを備えたドア安全装置において、
前記検知手段が、前記セイフティシューの上部外方に配置され、前記ドアの開閉方向に沿って水平方向に光束を投光する投光部、およびこの投光部から投光された光束を受光する受光部から成り、かつ、前記セイフティシューを、障害物との接触により後退とともに上方に移動する構造とし、前記セイフティシューが障害物と接触することで後退とともに上方に移動し、その上端により前記光束を遮ることで前記制御手段が前記セイフティシューの後退を検知することを特徴としたドア安全装置。
【発明の詳細な説明】
【技術分野】
【０００１】
本発明は、閉扉動作の際、障害物がドアに挟まることを防止するドア安全装置に関する。
【背景技術】
【０００２】
一般に、エレベータ等にあっては、開口部、すなわち、出入口に設けられるドアの閉扉動作の際、何らかの障害物がドアに挟まることを防止するためドア安全装置が設けられている。
【０００３】
図３は従来のドア安全装置を示す正面図である。
【０００４】
従来のドア装置は、図３に示すように、開口部１１の上部に延設されるドアレール１２と、ドアハンガ１３を介してドアレール１２に支持され、開口部１１にあって水平方向に移動するドア１４と、ドア１４の開閉を制御する図示しない制御手段とを備えているとともに、ドア安全装置として、ドア１４の前縁にリンク部１５を介して突出設置され、障害物との接触により後退するセイフティシュー１６と、セイフティシュー１６の後退を検知する検知手段１７とを備えている。そして、検知手段１７は、リンク部１５に設けられるスイッチ１７ａと、一端がスイッチ１７ａ、他端が制御手段に接続されるリード線１７ｂとを備え、制御手段はセイフティシュー１６が後退したことをリード線１７ｂを介して送られる信号により検知するようになっている（例えば、特許文献１参照）。
【０００５】
また、この種のものとして、従来、開口部高さ方向の中間位置にあって、開口部を横切るように水平光束を投光する投光部、および投光部から投光された光束を受光する受光部を設けるとともに、セイフティシューに、前述の光束が通過可能な貫通孔を形成し、セイフティシューの非作動時は、光束位置と貫通孔位置が合致して光束が通過するとともに、セイフティシューが障害物に接触して後退すると、セイフティシューが例えば下方に移動し、これまで光束位置と合致していた貫通孔位置がずれ、光束が遮られることにより、制御手段がセイフティシューの後退を検知するようにしたものがある（例えば、特許文献２参照）。
【先行技術文献】
【特許文献】
【０００６】
【特許文献１】実公昭６１−５８８０（第１頁、第１図）
【特許文献２】特公昭４５−１５０７５（第１頁右欄３１段〜第２ページ右欄４段、第１図）
【発明の概要】
【発明が解決しようとする課題】
【０００７】
しかしながら、前述した従来の前者のものでは、ドア１４が開いた際、図３にあって点線にて示すように、リード線１７ｂが弛み、他の機器等と絡んで断線するという問題があった。
【０００８】
また、前述した従来の後者のものでは、セイフティシューに、光束が通過可能な貫通孔を形成する作業を要するとともに、実際のエレベータ装置にあっては、貫通孔に透明レンズを嵌合させる必要があり、コストの向上を招くという問題があった。
【０００９】
本発明は、前述した従来技術における実状からなされたもので、その目的は、リード線や特別な加工等を要することなく、セイフティシューの後退を検知することのできるドア安全装置を提供することにある。
【課題を解決するための手段】
【００１０】
前記目的を達成するために、本発明は、開口部に配設されて水平方向に移動するドアの前縁に突出設置され、障害物との接触により後退するセイフティシューと、このセイフティシューの後退を検知するための検知手段と、前記ドアの開閉を制御する制御手段とを備えたドア安全装置において、前記検知手段が、前記セイフティシューの上部外方に配置され、前記ドアの開閉方向に沿って水平方向に光束を投光する投光部、およびこの投光部から投光された光束を受光する受光部から成り、かつ、前記セイフティシューを、障害物との接触により後退とともに上方に移動する構造とし、前記セイフティシューが障害物と接触することで後退とともに上方に移動し、その上端により前記光束を遮ることで前記制御手段が前記セイフティシューの後退を検知することを特徴としている。
【００１１】
このように構成した本発明では、通常時、ドアの上部にあって、ドアの開閉方向に沿って投光部から水平方向に光束が投光され、受光部で光束が受光されている。そして、閉扉動作の際、セイフティシューが障害物と接触すると、セイフティシューは後退とともに上方に移動し、その上端により光束が遮られ、これによって、制御手段はセイフティシューの後退を検知する。このように、従来のようなリード線や特別な加工等を要することなく、セイフティシューの後退を検知することができる。
【発明の効果】
【００１２】
本発明によれば、セイフティシューの後退検知のためにリード線を設ける必要がないことから、断線の恐れがなく、すなわち、故障の要因となる部位を省くことができ、したがって、装置の信頼性の向上を図ることができる。また、セイフティシューに特別な加工を施すことや特別な部品を設ける必要がなく、したがって、コストの低減を図ることができる。
【図面の簡単な説明】
【００１３】
【図１】本発明に係るドア安全装置の一実施形態を示す正面図である。
【図２】図１のＡ部を示す要部拡大図である。
【図３】従来のドア安全装置を示す正面図である。
【発明を実施するための形態】
【００１４】
以下、本発明に係るドア安全装置の実施の形態を図に基づいて説明する。
【実施例１】
【００１５】
エレベータ等のドア装置は、図１に示すように、開口部１の上部に延設されるドアレール２と、ドアハンガ３を介してドアレール２に支持され、開口部１にあって水平方向に移動するドア４と、ドア４の開閉を制御する図示しない制御手段とが備えられているとともに、ドア安全装置として、ドア４の前縁にリンク部５を介して突出設置され、障害物との接触により後退するセイフティシュー６と、セイフティシュー６の後退を検知する検知手段７とを備えている。なお、リンク部５には、図２に示すように、ストッパ８が設けられ、ドア４の前縁におけるセイフティシュー６の突出量が制限されている。
【００１６】
そして、本実施形態のドア安全装置における検知手段７は、ドア４の上部外方に配置され、ドア４の開閉方向に沿って水平方向に光束７ｃを投光する投光部７ａ、およびこの投光部７ａから投光された光束を受光する受光部７ｂから成っている。また、前述のセイフティシュー６は、障害物との接触により後退とともに上方に移動する構造としてある。なお、投光部７ａおよび受光部７ｂは、前述した制御手段に接続され、信号の授受が行なわれる。
【００１７】
本実施形態にあっては、通常時、ドア４の上部にあって、ドア４の開閉方向に沿って水平方向に投光部７ａから光束７ｃが投光され、受光部７ｂで光束７ｃが受光されている。このとき、セイフティシュー６は図２にあって実線にて示すように、リンク部５がストッパ８に当接し、セイフティシュー６は所定量、ドア４の前縁から突出した状態にある。そして、閉扉動作の際、セイフティシュー６が障害物と接触すると、図２にあって点線にて示すようにセイフティシュー６は後退とともに上方に移動し、セイフティシュー６の上端により光束７ｃが遮られる。これに応じて制御手段はセイフティシュー６の後退を検知し、例えば、ドア４を反転開扉動作する。
【００１８】
本実施形態によれば、セイフティシュー６の後退検知のためにリード線を設ける必要がないことから、断線の恐れがなく、すなわち、故障の要因となる部位を省くことができ、したがって、装置の信頼性の向上を図ることができる。また、セイフティシュー６に特別な加工を施すことや特別な部品を設ける必要がなく、したがって、コストの低減を図ることができる。
【符号の説明】
【００１９】
１  開口部
２  ドアレール
３  ドアハンガ
４  ドア
５  リンク部
６  セイフティシュー
７  検知手段
７ａ  投光部
７ｂ  受光部
７ｃ  光束
８  ストッパ
【図１】
2010159116.tif 000003
【図２】
2010159116.tif 000004
【図３】
2010159116.tif 000005